(57)【特許請求の範囲】
【請求項１】
光透過部とリムとテンプルとを有する眼鏡本体と、
前記眼鏡本体に設置され被写体を撮像して映像信号を出力する撮像部と、
前記撮像部から出力された映像信号を用いて、前記被写体の表示映像信号を生成する画像処理部と、
前記表示映像信号を用いて映像を表示する表示部と、
前記リムに設けられ、前記表示部を前記眼鏡本体に対して離間して保持する表示部設置部とを備え、
前記光透過部が、光透過部材と、前記光透過部材の前記装着者側に設けられ、前記被写体からの反射光を透過しかつ前記表示部に表示された映像を形成する光を反射する波長選択反射部材とを有し、
前記波長選択反射部材に対する前記映像を形成する光の入射角がブリュースター角よりも狭い角度となる位置に前記表示部が配置され、
かつ前記映像を形成する光が前記波長選択反射部材に投影されることを特徴とする映像投影機能付き眼鏡。
【請求項２】
互いに異なる曲率の眼鏡レンズを有する複数の前記光透過部が前記眼鏡本体に対して交換可能に構成されている請求項１記載の映像投影機能付き眼鏡。
【請求項３】
前記光透過部材の前記装着者側の面が凹面である請求項１または２記載の映像投影機能付き眼鏡。
【請求項４】
前記映像を形成する光が投影される範囲の前記凹面の形状が回転非対称である請求項３記載の映像投影機能付き眼鏡。
【請求項５】
前記表示部設置部は、前記表示部の表示面と前記光透過部との間の距離を変更可能に構成されている請求項１から４いずれか１項記載の映像投影機能付き眼鏡。
【請求項６】
前記撮像部、前記表示部および前記画像処理部の少なくとも１つに電力を供給する電源部、前記撮像部、前記画像処理部、および前記表示部のうちの少なくとも１つが、前記眼鏡本体に対して着脱可能に構成されている請求項１から５いずれか１項記載の映像投影機能付き眼鏡。
【請求項７】
前記表示部が、前記眼鏡本体が装着者に装着された場合において前記装着者から見て下側の位置に設けられている請求項１から６いずれか１項記載の映像投影機能付き眼鏡。
【請求項８】
前記表示部の表示面に円偏光部材が設けられている請求項１から７いずれか１項記載の映像投影機能付き眼鏡。
【請求項９】
前記光透過部の前記装着者側とは反対側の一部の範囲に反射部材が設けられている請求項１から８いずれか１項記載の映像投影機能付き眼鏡。
【請求項１０】
前記光透過部に対して機能性フィルムが設けられている請求項１から９いずれか１項記載の映像投影機能付き眼鏡。
【請求項１１】
前記機能性フィルムが、防曇フィルム、耐傷フィルムまたは防汚フィルムである請求項１０記載の映像投影機能付き眼鏡。
【請求項１２】
２つの前記光透過部および前記表示部の組の間の距離を変更可能に構成されている請求項１から１１いずれか１項記載の映像投影機能付き眼鏡。
【請求項１３】
前記眼鏡本体が装着者に装着された場合における前記装着者側から見て左右方向の重量のバランスがとれている状態である請求項１から１２いずれか１項記載の像投影機能付き眼鏡。
【請求項１４】
前記撮像部から出力された映像信号を用いて、前記撮像部の撮像条件を制御する撮像制御部を備えた請求項１から１３いずれか１項記載の映像投影機能付き眼鏡。
【請求項１５】
前記装着者の眼の疲れを判定する判定部と、
前記判定部の判定結果を用いて、前記表示部の表示面と前記光透過部との間の距離を変更する距離変更部とを備えた請求項５記載の映像投影機能付き眼鏡。
【請求項１６】
前記撮像部から出力された映像信号を用いて前記装着者の周辺環境の明るさの情報を取得し、前記取得した明るさの情報を用いて、前記映像の輝度を制御する表示制御部を備えた請求項１から１５いずれか１項記載の映像投影機能付き眼鏡。
【請求項１７】
前記光透過部の前記装着者側とは反対側または前記光透過部材と前記波長選択反射部材との間に設けられたシャッター部と、
前記撮像部から出力された映像信号を用いて前記装着者の周辺環境の明るさの情報を取得し、前記取得した周辺環境の明るさが予め設定された閾値以上となった場合に、前記シャッター部を制御して遮光する遮光制御部とを備えた請求項１から１６いずれか１項記載の映像投影機能付き眼鏡。
【請求項１８】
前記装着者の周辺環境の明るさを検出する明るさ検出部と、
前記明るさ検出部によって検出された明るさを用いて、前記映像の輝度を制御する表示制御部とを備えた請求項１から１５いずれか１項記載の映像投影機能付き眼鏡。
【請求項１９】
前記装着者の周辺環境の明るさを検出する明るさ検出部と、
前記光透過部の前記装着者側とは反対側または前記光透過部材と前記波長選択反射部材との間に設けられたシャッター部と、
前記明るさ検出部によって検出された明るさが予め設定された閾値以上となった場合に、前記シャッター部を制御して遮光する遮光制御部とを備えた請求項１から１５および１８いずれか１項記載の映像投影機能付き眼鏡。
【請求項２０】
前記眼鏡本体の装着者への装着状態を検出する装着状態検出部を備え、
前記表示部が、前記装着状態検出部によって前記眼鏡本体が装着者に装着されていることが検出された場合に、前記映像の表示機能を開始する請求項１から１９いずれか１項記載の映像投影機能付き眼鏡。
【請求項２１】
前記装着状態検出部が、前記眼鏡本体を構成する前記テンプルが開いた状態であることを検出することによって前記眼鏡本体が前記装着者に装着されていることを検出する請求項２０記載の映像投影機能付き眼鏡。
【請求項２２】
前記装着状態検出部が、前記眼鏡本体を構成するテンプルが前記装着者の肌に密着している状態を検出することによって前記眼鏡本体が前記装着者に装着されていることを検出する請求項２０記載の映像投影機能付き眼鏡。
【請求項２３】
前記装着者の眼球の動きを検出する動き検出部を備え、
前記表示部が、前記動き検出部が検出した眼球の動きを用いて、前記映像の表示機能を停止する請求項１から２２いずれか１項記載の映像投影機能付き眼鏡。
【請求項２４】
前記表示部が、前記眼球が予め設定された方向を向いている状態が予め設定された時間継続した場合に、前記映像の表示機能を停止する請求項２３記載の映像投影機能付き眼鏡。
【請求項２５】
前記表示部は、前記表示部設置部との接続部分を軸として回動可能に構成されている請求項１から２４いずれか１項記載の映像投影機能付き眼鏡。
【発明の詳細な説明】
【技術分野】
【０００１】
本発明は、眼鏡レンズに映像を投影し、その虚像を装着者に見せる映像投影機能付き眼鏡に関するものである。
【背景技術】
【０００２】
従来、頭部に装着する透過型の眼鏡型表示装置が種々提案されている。従来の透過型の眼鏡型表示装置においては、液晶パネルなどの表示部に表示した映像をミラーやプリズムなどの導光部材を用いて眼鏡レンズなどの光透過部材に投影する。そして、従来の透過型の眼鏡型表示装置は、その投影された映像を形成する光を装着者の眼に入射させることによって、装着者に虚像を視認させる。装着者は、光透過部材を透過した景色に上記虚像を重ね合わせて見ることができる。【０００３】
具体的には、たとえば特許文献１においては、眼鏡のテンプルに相当する部分に表示部とミラーを設け、表示部に表示された映像をミラーによって反射することによって眼鏡レンズに投影し、眼鏡レンズから反射された反射光を装着者の眼に入射させる透過型の眼鏡型表示装置が提案されている。【０００４】
また、特許文献２および特許文献３においては、眼鏡のテンプルに相当する部分に表示部を設け、表示部に表示された映像を眼鏡レンズに相当する光透過部材内に入射させ、その光透過部材内を全反射させながら眼の位置まで導光する透過型の眼鏡型表示装置が提案されている。【０００５】
また、特許文献４においては、表示部に表示された映像を眼鏡レンズに相当する光透過部材内に入射させ、光透過部材に設けられたホログラムによって装着者の眼に入射させる透過型の眼鏡型表示装置が提案されている。【０００６】
また、特許文献５においては、装着者の眼の前に設けられたハーフミラーによって映像を反射させることによって、映像を眼に入射させる透過型の眼鏡型表示装置が提案されている。
【先行技術文献】
【特許文献】
【０００７】
【特許文献１】特開２０１２−７８６１９号公報
【特許文献２】特開２０１４−０６８０９６号公報
【特許文献３】特開２００６−１５３９６７号公報
【特許文献４】特開平０９−１８５００９号公報
【特許文献５】特開平０５−１９９４７８号公報
【発明の概要】
【発明が解決しようとする課題】
【０００８】
ここで、装着者の視野の景色をカメラによって撮影し、その撮影した映像を透過型の眼鏡型表示装置の表示部に表示させることによって、装着者の視力を補助する方法が考えられる。すなわち、カメラによって撮影される映像は、装着者に対して遠方と近辺の両方に焦点が合った映像とすることができるので、これにより近視、遠視または老眼の装着者に対して全ての位置に焦点が合った虚像を視認させることができる。【０００９】
しかしながら、特許文献１のように眼鏡のテンプルに相当する部分に表示部とミラーを設け、そのミラーによって映像を反射することによって眼鏡レンズに投影するようにしたのでは、眼鏡レンズに投影される映像の範囲が制限され、装着者に広い視野の映像を視認させることができない。【００１０】
また、特許文献２から特許文献４のように眼鏡レンズに相当する光透過部材内を全反射させながら映像を導光する方法では、映像を全反射させて導光させるために上記光透過部材の厚さを大きくする必要があり、これにより重量が重くなり、日常的に使用することが難しい。また、この方法においても、眼鏡レンズに入射される映像の範囲が制限され、装着者に広い視野の映像を視認させることができない。【００１１】
また、特許文献５のように装着者の眼の前に設けられたハーフミラーによって映像を反射させるようにしたのでは、ハーフミラーが視野に入って邪魔になり、また、ハーフミラーに入射される映像の範囲が制限され、装着者に広い視野の映像を視認させることができない。【００１２】
本発明は、上記の問題に鑑み、装着者に広い視野の映像を視認させることができ、かつ軽量化を図ることができる映像投影機能付き眼鏡を提供することを目的とする。
【課題を解決するための手段】
【００１３】
本発明の映像投影機能付き眼鏡は、光透過部を有する眼鏡本体と、眼鏡本体に設置され被写体を撮像して映像信号を出力する撮像部と、撮像部から出力された映像信号を用いて、被写体の表示映像信号を生成する画像処理部と、表示映像信号を用いて映像を表示する表示部とを備え、光透過部が、光透過部材と、光透過部材の装着者側に設けられ、被写体からの反射光を透過しかつ表示部に表示された映像を形成する光を反射する波長選択反射部材とを有し、波長選択反射部材に対する映像を形成する光の入射角がブリュースター角よりも狭い角度となる位置に表示部が配置され、かつ映像を形成する光が波長選択反射部材に投影される。【００１４】
また、上記本発明の映像投影機能付き眼鏡においては、光透過部材として、眼鏡レンズを用い、その眼鏡レンズの曲率を変更可能に構成することができる。【００１５】
また、上記本発明の映像投影機能付き眼鏡においては、互いに異なる曲率の眼鏡レンズを有する複数の光透過部が眼鏡本体に対して交換可能に構成されていることが好ましい。【００１６】
また、上記本発明の映像投影機能付き眼鏡において、光透過部材の装着者側の面は凹面であることが好ましい。【００１７】
また、上記本発明の映像投影機能付き眼鏡において、映像を形成する光が投影される範囲の凹面の形状は回転非対称であることが好ましい。【００１８】
また、上記本発明の映像投影機能付き眼鏡においては、表示部の表示面と光透過部との間の距離を変更可能に構成することが好ましい。【００１９】
また、上記本発明の映像投影機能付き眼鏡において、撮像部、表示部および画像処理部の少なくとも１つに電力を供給する電源部、撮像部、画像処理部、および表示部のうちの少なくとも１つは、眼鏡本体に対して着脱可能に構成することができる。【００２０】
また、上記本発明の映像投影機能付き眼鏡において、表示部は、眼鏡本体が装着者に装着された場合において装着者から見て下側の位置に設けることができる。【００２１】
また、上記本発明の映像投影機能付き眼鏡においては、表示部の表示面に円偏光部材を設けることができる。【００２２】
また、上記本発明の映像投影機能付き眼鏡においては、光透過部の装着者側とは反対側の一部の範囲に反射部材を設けることができる。【００２３】
また、上記本発明の映像投影機能付き眼鏡においては、光透過部に対して機能性フィルムを設けることができる。【００２４】
また、上記本発明の映像投影機能付き眼鏡においては、機能性フィルムとして、防曇フィルム、耐傷フィルムまたは防汚フィルムを用いることができる。【００２５】
また、上記本発明の映像投影機能付き眼鏡においては、２つの光透過部および表示部の組の間の距離を変更可能に構成することが好ましい。【００２６】
また、上記本発明の映像投影機能付き眼鏡は、眼鏡本体が装着者に装着された場合における装着者側から見て左右方向の重量のバランスがとれている状態であることが好ましい。【００２７】
また、上記本発明の映像投影機能付き眼鏡においては、撮像部から出力された映像信号を用いて、撮像部の撮像条件を制御する撮像制御部を備えることができる。【００２８】
また、上記本発明の映像投影機能付き眼鏡においては、装着者の眼の疲れを判定する判定部と、判定部の判定結果を用いて、表示部の表示面と光透過部との間の距離を変更する距離変更部とを備えることができる。【００２９】
また、上記本発明の映像投影機能付き眼鏡においては、撮像部から出力された映像信号を用いて装着者の周辺環境の明るさの情報を取得し、その取得した明るさの情報を用いて、映像の輝度を制御する表示制御部を備えることができる。【００３０】
また、上記本発明の映像投影機能付き眼鏡においては、光透過部の装着者側とは反対側または光透過部材と波長選択反射部材との間に設けられたシャッター部と、撮像部から出力された映像信号を用いて装着者の周辺環境の明るさの情報を取得し、その取得した周辺環境の明るさが予め設定された閾値以上となった場合に、シャッター部を制御して遮光する遮光制御部とを備えることができる。【００３１】
また、上記本発明の映像投影機能付き眼鏡においては、装着者の周辺環境の明るさを検出する明るさ検出部と、明るさ検出部によって検出された明るさを用いて、映像の輝度を制御する表示制御部とを備えることができる。【００３２】
また、上記本発明の映像投影機能付き眼鏡においては、装着者の周辺環境の明るさを検出する明るさ検出部と、光透過部の装着者側とは反対側または光透過部材と波長選択反射部材との間に設けられたシャッター部と、明るさ検出部によって検出された明るさが予め設定された閾値以上となった場合に、シャッター部を制御して遮光する遮光制御部とを備えることができる。【００３３】
また、上記本発明の映像投影機能付き眼鏡においては、眼鏡本体の装着者への装着状態を検出する装着状態検出部を備えることができ、表示部は、装着状態検出部によって眼鏡本体が装着者に装着されていることが検出された場合に、映像の表示機能を開始することができる。【００３４】
また、上記本発明の映像投影機能付き眼鏡において、装着状態検出部は、眼鏡本体を構成するテンプルが開いた状態であることを検出することによって眼鏡本体が装着者に装着されていることを検出することができる。【００３５】
また、上記本発明の映像投影機能付き眼鏡において、装着状態検出部は、眼鏡本体を構成するテンプルが装着者の肌に密着している状態を検出することによって眼鏡本体が装着者に装着されていることを検出することができる。【００３６】
また、上記本発明の映像投影機能付き眼鏡においては、装着者の眼球の動きを検出する動き検出部を備えることができ、表示部は、動き検出部が検出した眼球の動きを用いて、映像の表示機能を停止することができる。【００３７】
また、上記本発明の映像投影機能付き眼鏡において、表示部は、眼球が予め設定された方向を向いている状態が予め設定された時間継続した場合に、映像の表示機能を停止することができる。
【発明の効果】
【００３８】
本発明の映像投影機能付き眼鏡によれば、眼鏡本体の光透過部の装着者側に、装着者が見ている被写体からの反射光を透過し、かつ表示部に表示された映像を形成する光を反射する波長選択反射部材を設ける。そして、波長選択反射部材に対する映像を形成する光の入射角がブリュースター角よりも狭い角度となる位置に表示部を配置し、映像を形成する光を波長選択反射部材に投影する。これにより波長選択反射部材を反射した反射光を装着者の眼に入射させ、虚像を視認させる。【００３９】
本発明の映像投影機能付き眼鏡では、波長選択反射部材を設け、かつ上述したように表示部を配置することによって、上述した従来の透過型の眼鏡型表示装置と比較すると、眼鏡レンズに相当する光透過部に投影する映像の範囲を広くすることができ、これにより装着者に広い視野の映像を視認させることができる。【００４０】
また、上述した従来の透過型の眼鏡型表示装置と比較すると、眼鏡レンズに相当する光透過部の厚さを薄くすることができるので、軽量化を図ることができ、これにより日常的な使用が可能となる。
【図面の簡単な説明】
【００４１】
【図１】本発明の映像投影機能付き眼鏡の一実施形態の概略構成を示す斜視図
【図２】図１に示す映像投影機能付き眼鏡のＡ−Ｂ線断面図
【図３】従来技術に対する本発明の映像投影機能付き眼鏡の一実施形態の効果を説明するための図
【図４】ブリッジに設けられた移動機構を示す図
【図５】本発明の映像投影機能付き眼鏡の一実施形態の電気的な構成を示すブロック図
【図６】本発明の映像投影機能付き眼鏡の一実施形態の初期設定を説明するためのフローチャート
【図７】本発明の映像投影機能付き眼鏡の一実施形態の動作を説明するためのフローチャート
【図８】本発明の映像投影機能付き眼鏡の一実施形態の変形例を示すブロック図
【図９】本発明の映像投影機能付き眼鏡の一実施形態の変形例を示すブロック図
【図１０】シャッター部の一例を示す図
【図１１】本発明の映像投影機能付き眼鏡のその他の実施形態を示すブロック図
【発明を実施するための形態】
【００４２】
以下、本発明の映像投影機能付き眼鏡１の一実施形態について、図面を参照しながら詳細に説明する。図１は、本実施形態の映像投影機能付き眼鏡１の概略構成を示す斜視図である。なお、本明細書において、“前”、“後”、“左”、“右”、“上”、及び“下”とは、映像投影機能付き眼鏡を装着者の頭部に装着した状態で、その装着者から見た場合の“前”、“後”、“左”、“右”、“上”、及び“下の各方向を指すものとする。
【００４３】
本実施形態の映像投影機能付き眼鏡１（以下、単に眼鏡１という）は、映像投影機能を有するものであり、眼鏡１の装着者の視野内を撮像部によって撮影した映像を眼鏡１のレンズ部に投影し、レンズ部によって反射された光を装着者の眼に入射させることによって装着者に虚像を見せるものである。装着者は、レンズ部を透過して見える景色に対して上述した虚像を重ね合わせて見ることができる。撮像部によって撮影される映像は、装着者から見て遠方と近辺との両方に合焦した映像とすることができるので、装着者が、近視、遠視または老眼である場合などにおいて、装着者の視力を補助する役割を果たすことができる。
【００４４】
本実施形態の眼鏡１は、具体的には、図１に示すように、装着者の頭部に装着される眼鏡本体２と、眼鏡本体２のフレーム１１に設けられた撮像部３と、撮像部３から出力された映像信号に画像処理を施す画像処理部を有する制御基板部４と、画像処理部によって生成された表示映像信号を用いて映像を表示する表示部５と、撮像部３、制御基板部４および表示部５に電力を供給する電源部６とを備えている。
【００４５】
眼鏡本体２は、フレーム１１と、フレーム１１に取り付けられた２つのレンズ部１０とを備えている。フレーム１１は、装着者の耳に掛けられるテンプル１０１と、ヒンジを介してテンプル１０１に接続されるリム１０２と、左右のリム１０２の間を接続するブリッジ１０３と、鼻パッド１０４とから構成されている。
【００４６】
そして、左右のリム１０２のそれぞれの上辺に撮像部３が設けられている。各撮像部３は、眼鏡１の装着者の視野に含まれる被写体を撮影して映像信号を出力するものである。撮像部３としては、広視野角の映像を撮影するため、魚眼レンズのパンフォーカスカメラを用いることが望ましい。なお、撮像部３によって撮影される映像は、映像全体において焦点が合っていることが望ましいが、映像の周縁など一部の範囲で合焦していなくてもよい。
【００４７】
また、撮像部３は、図１に示すように、リム１０２の上辺に埋め込んでリム１０２と一体化するようにしてもよいし、リム１０２とは別に設け、リム１０２に対して着脱可能に構成するようにしてもよい。
【００４８】
制御基板部４は、撮像部３、表示部５および電源部６などを制御する制御部４０と画像処理部４１を備えている（図５参照）。制御基板部４は、ＣＰＵ（Central Processing Unit）およびメモリなどを備えたものであり、ＯＳ（Operating System）またはファームウェア上で動作する制御プログラムおよび画像処理プログラムなどが組み込まれたものである。そして、この制御プログラムおよび画像処理プログラムが動作することによって、制御部４０および画像処理部４１が機能する。
【００４９】
画像処理部４１は、撮像部３から出力された映像信号を取得し、その取得した映像信号に対して、予め設定された画像処理を施すことによって表示映像信号を生成するものである。本実施形態の画像処理部４１は、画像処理として、たとえば魚眼レンズで撮影された広角な映像信号に対して歪補正を施すものである。また、画像処理部４１は、画像処理として、ホワイトバランス調整処理およびその他表示用の映像信号を生成するための画像処理を施すものである。
【００５０】
なお、画像処理としては、上述した歪補正およびホワイトバランス調整処理に限らず、左右の撮像部３によって撮影された各映像信号に対して、所定の視差を与えるような画像処理を施すようにしてもよい。本実施形態では、装着者の左右の眼に対応させて２つの撮像部３を設けるようにしているが、たとえばブリッジ１０３の位置に撮像部３を一つだけ設けるようにしてもよい。この場合、上述した視差を与える画像処理がより有効である。
【００５１】
また、制御基板部４は、眼鏡本体２に対して着脱可能に構成することが望ましい。
【００５２】
表示部５は、画像処理部４１によって生成された表示映像信号を用いて映像を表示するものである。表示部５としては、液晶パネルおよび有機ＥＬ（Electro-Luminescence）パネルなどを用いることができる。
【００５３】
表示部５は、図１に示すように、左右のリム１０２のそれぞれの下辺に設けることが望ましい。すなわち、表示部５は、装着者から見てリム１０２の下側に設けることが望ましい。日常生活において、眼鏡１の装着者の視線は上方向に比べると下方向に向いていることが多い。したがって、下方向の視野がより広い方が装着者には便利である。本実施形態のように、リム１０２の下側に表示部５を設けることによって、表示部５に表示された映像を形成する光をレンズ部１０の下側に投影することができ、これにより装着者の下方向の視野を広げることができる。
【００５４】
ただし、表示部５を設ける位置は、リム１０２の下側に限らず、上側、左側または右側に設けるようにしてもよい。
【００５５】
電源部６は、左側のテンプル１０１の先端（モダン：drop end）に着脱可能に取り付けられるものである。電源部６は、非充電式の電池が内蔵されたものでもよいし、充電式の電池が内蔵されたものでもよい。また、有線を介して外部電源から電力の供給を受けるものでもよいし、無線給電方式のものでもよい。
【００５６】
図２は、図１に示す眼鏡１のＡ−Ｂ線断面図である。図２に示すように、下側のリム１０２には、表示部設置部５０が設けられており、その表示部設置部５０の上に表示部５が立設されている。表示部５は、その表示面５ａが、レンズ部１０の波長選択反射部材１０ｂに対向するように設けられている。また、表示部５は、その表示面５ａが、レンズ部１０の波長選択反射部材１０ｂが設けられた面に対して予め設定された角度だけ傾くように設けられている。
【００５７】
これにより、表示部５の表示面５ａに表示された映像を形成する光がレンズ部１０の下側に投影される。レンズ部１０の波長選択反射部材１０ｂに投影された光Ｌは、波長選択反射部材１０ｂによって反射されて装着者の眼Ｉに入射される。なお、表示部５自体は、装着者の視界に入らない位置に設けることが望ましい。具体的には、たとえばレンズ部１０の下端から下側の４分の１から３分の１の範囲内に設けることが望ましい。
【００５８】
表示部設置部５０は、上述したように表示部５が立設されるものであり、かつ表示部５を、図２に示す矢印Ｃ方向に移動させるものである。すなわち、表示部設置部５０は、レンズ部１０と表示部５の表示面５ａとの間の距離を変更可能に構成されたものである。表示部設置部５０には、たとえば圧電素子などを備えたアクチュエータが設けられており、これによりレンズ部１０に対する表示部５の位置が変更されることによって、レンズ部１０と表示部５の表示面５ａとの間の距離が変更される。
【００５９】
このようにレンズ部１０と表示部５の表示面５ａの距離を変更することによって、装着者の視力に合わせて虚像の位置を調整することができる。また、レンズ部１０と表示部５の表示面５ａとの間の距離変更は、装着者の眼の疲れを取り除くためにも行われるが、この距離変更については後で詳述する。
【００６０】
なお、本実施形態においては、図２に示す矢印Ｃ方向に表示部５を移動させることによってレンズ部１０と表示部５の表示面５ａとの間の距離を変更するようにしたが、このような機構に限らず、たとえば表示部５と表示部設置部５０との接続部分を軸として、表示部５を回動させて表示部５の表示面５ａの傾きを変更することによってレンズ部１０と表示部５の表示面５ａとの距離を変更するようにしてもよい。
【００６１】
また、表示部５の表示面５ａには、円偏光部材５１が設けられている。円偏光部材５１としては、公知の円偏光フィルムを用いることができる。このように円偏光部材５１を設けることによって、表示部５に表示された映像を、レンズ部１０の外側（装着者側とは反対側）から見えなくすることができる。
【００６２】
また、表示部５または表示部５および表示部設置部５０は、リム１０２に対して着脱可能に構成することが望ましい。
【００６３】
レンズ部１０は、図２に示すように、眼鏡レンズ１０ａと、波長選択反射部材１０ｂと、反射部材１０ｃと、保護部材１０ｄとを備えている。なお、本実施形態においては、レンズ部１０が本発明の光透過部に相当するものである。
【００６４】
眼鏡レンズ１０ａは、所定の屈折力を有するものであり、装着者の視力を矯正するものであり、本実施形態においては、眼鏡レンズ１０ａが本発明の光透過部材に相当するものである。なお、本実施形態において光透過部材は、眼鏡レンズ１０ａとしたが、光透過部材は、眼鏡レンズ１０ａに限らず、視力調整機能のないガラス部材またはプラスチック部材、あるいはそれら複数を有するようにしてもよい。なお、本実施形態においては、レンズ部１０が本発明の光透過部に相当するものであり、眼鏡レンズ１０ａが本発明の光透過部材に相当するものである。
【００６５】
反射部材１０ｃは、眼鏡レンズ１０ａの外側（装着者側とは反対側）の面に設けられたものである。反射部材１０ｃは、具体的には、可視光域の光を反射する反射フィルムから構成されるものである。反射部材１０ｃは、眼鏡レンズ１０ａの下端から４分の１〜２分の１の範囲内に設けることが望ましい。このように反射部材１０ｃを設けることによって、表示部５を、レンズ部１０の外側から見えなくすることができる。なお、この反射部材１０ｃは、必ずしも設けなくてもよい。
【００６６】
保護部材１０ｄは、レンズ部１０の表面を保護するものである。保護部材１０ｄは、機能性フィルムであって、具体的には、公知の耐傷フィルムおよび防汚フィルムを用いることができる。また、機能フィルムとしては、たとえば防曇フィルムを設けるようにしてもよい。防曇フィルムは、レンズ部１０の装着者側の面に設けることが望ましく、すなわち本実施形態の場合、波長選択反射部材１０ｂの装着者側の面に設けることが望ましい。
【００６７】
波長選択反射部材１０ｂは、眼鏡レンズ１０ａの装着者側の面に設けられるものである。波長選択反射部材１０ｂは、眼鏡レンズ１０ａを透過した光を透過し、かつ表示部５に表示された映像を形成する光を反射するものである。
【００６８】
波長選択反射部材１０ｂとしては、複数の層からなる多層膜を用いることができ、たとえば、可視光領域に選択反射を示すコレステリック液晶を含む反射層およびλ／２位相差層を含む多層膜を用いることができる。また、λ／２位相差層の代わりにλ／４位相差層を用いるようにしてもよい。また、これに限らず、国際公開第２０１５／０５０２０２号公報に記載の多層膜、国際公開第２０１５／０５０２０３号に記載の多層膜および国際公開第２０１５／０５０２０４号に記載の多層膜などを用いることができる。
【００６９】
眼鏡レンズ１０ａを透過した光に対する波長選択反射部材１０ｂの透過率は、可視光に対して８０％以上であることが好ましく、より好ましくは９０％以上、さらに好ましくは９５％である。
【００７０】
本実施形態の眼鏡１では、上述したように波長選択反射部材１０ｂを設け、かつ、図２に示すように、表示部５に表示された映像を形成する光の波長選択反射部材１０ｂに対する入射角θが、ブリュースター角よりも狭い角度となる位置に表示部５を配置する。なお、ここでいう入射角とは、表示部５の表示面５ａに対して垂直方向に出射される光の入射角のことである。
【００７１】
このように表示部５を配置することによって、眼鏡レンズ１０ａに対向する位置に表示部５を設置することができ、上述した従来の透過型の眼鏡型表示装置と比較すると、レンズ部１０に投影する映像範囲を広くすることができる。また、従来の透過型の眼鏡型表示装置と比較すると、眼鏡レンズ１０ａの厚さを薄くすることができ、これにより軽量化も図ることができる。
【００７２】
図３Ｉおよび図３IIは、従来の透過型の眼鏡型表示装置を模式的に示したものであり、図３IIIは、本実施形態の眼鏡１のレンズ部１０と表示部５との位置関係を模式的に示した図である。
【００７３】
図３Ｉに示す方式においては、表示部５００から出射された光は、眼鏡レンズ６００内の反射面６００ａと反射面６００ｂとの間で全反射を繰り返した後、装着者の眼Ｉに入射される。図３Ｉに示す方式では、眼鏡レンズ６００内に反射面６００ａと反射面６００ｂとを形成する必要があるため、眼鏡レンズ６００の厚さを大きくする必要がある。また、表示部５００から出射された光は、眼鏡レンズ６００の端部から入射されるため映像の範囲が制限されてしまう。
【００７４】
図３IIに示す方式においては、表示部５０１から出射された光は、たとえば眼鏡のテンプル内に設けられた光学部材６０１に入射され、反射面６０１ａで反射された後、反射面６０１ｂによって直角に反射されて装着者の眼Ｉに入射される。図３IIに示す方式では、表示部５０１から出射された光は、眼鏡のテンプル内に設けられた細い光学部材６０１に入射されるため、映像の範囲が制限されてしまう。
【００７５】
図３Ｉおよび図３IIに示す方式に対して、図３IIIに示す本実施形態の方式では、表示部５から出射された光がレンズ部１０に直接入射され、レンズ部１０によって反射された光が装着者の眼Ｉに入射する。したがって、図３Ｉに示す方式と比較すると、レンズ部１０の厚さを薄くすることができ、かつ図３Ｉおよび図３IIに示す方式と比較するとレンズ部１０に投影される映像の範囲を広くすることができ、装着者に広い視野の映像を視認させることができる。
【００７６】
次に、レンズ部１０は、左右のリム１０２に対して着脱可能なものである。本実施形態においては、互いに異なる曲率の眼鏡レンズ１０ａを有する複数のレンズ部１０がリム１０２に対して交換可能に構成されている。この複数のレンズ部１０は、装着者の視力に応じて選択されてリム１０２に取り付けられる。なお、たとえば近視用のレンズ部１０の場合、眼鏡レンズ１０ａの曲率は平行に近くなり、遠視用のレンズ部１０の場合、眼鏡レンズ１０ａの曲率は近視用よりも大きくなり、正視用のレンズ部１０の場合、眼鏡レンズ１０ａの曲率は、近視用と遠視用の間の曲率となる。
【００７７】
また、レンズ部１０の眼鏡レンズ１０ａは、その装着者側の面が凹面で形成されている。また、眼鏡レンズ１０ａは、表示部５に表示された映像を形成する光が投影される範囲の凹面の形状が回転非対称に形成されたものであることが望ましい。このような凹面の形状とすることによって、魚眼レンズによって撮影された映像の歪みを抑制することができる。
【００７８】
また、眼鏡１は、装着者が眼鏡１をかけたときに左右方向の重量のバランスがとれた状態であることが望ましい。左右方向の重量のバランスがとれた状態とは、眼鏡１の重心の左右方向の位置が、眼鏡１の左右方向の中心に位置する状態である。
【００７９】
したがって、たとえば本実施形態のように左側のテンプル１０１に制御基板部４および電源部６を設ける場合には、たとえば右側のテンプル１０１の内部に重りを設けるなどして、左右方向の重量のバランスをとるようにしてもよい。また、左右方向の重量のバランスをとるために、電源部６を左右のテンプルに分割して設けるようにしてもよい。
【００８０】
また、本実施形態の眼鏡１は、右側のレンズ部１０および表示部５の組と、左側のレンズ部１０および表示部５の組との間の距離を変更可能に構成されている。具体的には、図４に示すように、フレーム１１のブリッジ１０３の部分に、たとえば圧電素子などを備えたアクチュエータを有する移動機構１０３ａが設けられており、この移動機構１０３ａによって左右のリム１０２が左右方向（図４に示す矢印Ｘ方向）に移動可能に構成されている。
【００８１】
そして、左右のリム１０２が移動することによって、右側のレンズ部１０および表示部５の組と、左側のレンズ部１０および表示部５の組との間の距離が変更される。このように右側のレンズ部１０および表示部５の組と、左側のレンズ部１０および表示部５の組との間の距離を変更することによって、右側の組を装着者の右の瞳の位置まで移動させ、左側の組を装着者の左の瞳の位置まで移動させることができる。このように各組を装着者の瞳の位置に合わせることによって、レンズ部１０に投影される映像の焦点位置を合わせることができる。
【００８２】
次に、本実施形態の眼鏡１の電気的な構成について説明する。図５は、本実施形態の眼鏡１の電気的な構成を示すブロック図である。
【００８３】
図５に示すように、上述した制御基板部４は、制御部４０と、画像処理部４１とを備えている。本実施形態の制御部４０は、眼鏡１全体の動作を制御するものであるが、特に、撮像制御部４２と、表示制御部４３と、判定部４４とを備えている。
【００８４】
撮像制御部４２は、撮像部３の撮像条件を制御するものであり、たとえば撮像条件として電子シャッタースピードまたはフレームレートを制御するものである。そして、撮像制御部４２は、撮像部３から取得された映像信号を取得し、その映像信号を用いて撮像条件を制御するものである。具体的には、映像信号の輝度が、予め設定された閾値以下である場合には、電子シャッタースピードまたはフレームレートを遅くする。一方、映像信号の輝度が、予め設定された閾値より大きい場合には、電子シャッタースピードまたはフレームレートを速くする。撮像制御部４２は、このように電子シャッタースピードまたはフレームレートを制御することによって、映像信号の輝度を所望の輝度に調整する。
【００８５】
表示制御部４３は、眼鏡１の装着者の周辺環境の明るさを用いて、表示部５に表示される映像の輝度を制御するものである。装着者の周辺環境が明るい場合、レンズ部１０を透過して装着者の眼に入射する光の光量が多くなるので、表示部５に表示される映像の虚像が見えにくい状態となる。一方、装着者の周辺環境が暗い場合には、表示部５に表示される映像の虚像が見えやすい状態となるが、この場合に表示部５に表示される映像の輝度を無駄に明るくしたのでは、電力を無駄に使うことになる。
【００８６】
そこで、本実施形態の表示制御部４３は、装着者の周辺環境が明るい場合には、表示部５に表示される映像の輝度を高くし、暗い場合には、表示部５に表示される映像の輝度を低くする。より具体的には、表示制御部４３は、撮像部３から出力された映像信号を取得し、その映像信号と撮像部３の電子シャッタースピードまたはフレームレートの情報から周辺環境の明るさの情報を取得する。そして、表示制御部４３は、周辺環境が明るいほど表示部５に表示される映像の輝度を高くし、周辺環境が暗いほど表示部５に表示される映像の輝度を低くする。表示部５に表示される映像の輝度は、周辺環境の明るさに応じて段階的に徐々に変更することが望ましい。
【００８７】
判定部４４は、装着者の眼の疲れを判定するものである。本実施形態の眼鏡１は、上述したように撮像部３によって撮影された映像の虚像を装着者に見せるものであるが、撮像部３によって撮影された映像は、上述したように装着者の遠方と近辺との両方に焦点が合った映像である。したがって、装着者がこの映像を見ている間、装着者の眼の焦点位置は常時固定されることになり、これにより眼の筋肉が固まって眼が疲れやすいという問題が生じる。
【００８８】
そこで、判定部４４によって装着者の眼の疲れを判定し、装着者の眼が疲れていると判定した場合には、制御部４０が表示部設置部５０を制御し、表示部５の表示面５ａとレンズ部１０との距離を変更することによって、装着者の眼の焦点位置を変更させる。これにより装着者の眼の疲れを解消することができる。
【００８９】
判定部４４は、具体的には、装着者が眼鏡１を装着した時点からの時間と、前回、眼の疲れ判定によって表示部５の表示面５ａとレンズ部１０との距離変更を行った時点からの時間とを計測し、これらの時間が予め設定された閾値以上となった場合に、装着者の眼が疲れていると判定する。なお、本実施形態においては、上述したように時間を計測することによって装着者の眼の疲れを判定するようにしたが、判定方法としては、これに限らず、たとえば眼の瞳を検出し、その瞳の動き量などを用いて眼の疲れを判定するようにしてもよい。また、装着者が眼鏡１を装着した時点については、後述する装着状態検出部６０による検出情報を用いるようにすればよい。
【００９０】
表示部５の表示面５ａとレンズ部１０との距離の変更については、たとえば予め設定された周期と距離を用いて、レンズ部１０に対して表示部５を往復移動させるようにすればよい。往復移動させる時間も、予め設定するようにすればよい。なお、本実施形態においては、表示部設置部５０が、本発明の距離変更部に相当するものである。
【００９１】
また、図５に示すように、本実施形態の眼鏡１は、装着状態検出部６０を備えている。装着状態検出部６０は、眼鏡本体２の装着者への装着状態を検出するものである。装着状態検出部６０は、たとえばテンプル１０１の開閉状態を開閉センサによって検出することによって、眼鏡本体２の装着者への装着状態を検出することができる。開閉センサとしては、たとえばテンプル１０１が閉じられた状態でオンとなり、テンプル１０１が開かれた状態でオフとなるリミットスイッチなどを用いることができる。
【００９２】
また、眼鏡本体２の装着者への装着状態を検出する方法としては、上記の方法に限らず、たとえばテンプル１０１の耳かけの部分または眼鏡本体２の鼻パッド１０４に密着センサを設け、その密着センサによって肌への密着を検出することによって眼鏡本体２の装着者への装着状態を検出するようにしてもよい。密着センサとしては、たとえば圧力に応じた信号を出力する圧力センサを用いることができる。
【００９３】
そして、表示制御部４３は、装着状態検出部６０によって、眼鏡本体２が装着者に装着されたことが検出された場合に、表示部５による映像表示機能を開始させる。また、表示制御部４３は、眼鏡本体２が装着者に装着されていないことが検出された場合には、表示部５による映像表示機能を停止させる。
【００９４】
また、制御基板部４は、無線通信部４５を備えている。無線通信部４５は、パーソナルコンピュータおよびスマートフォンなどの携帯端末との無線通信を行うものであり、パーソナルコンピュータおよび携帯端末において設定入力された情報を取得するものである。具体的には、パーソナルコンピュータおよび携帯端末には、本実施形態の眼鏡１専用のアプリケーションが予めインストールされており、このアプリケーションを立ち上げることによって、眼鏡１の動作に必要な情報が装着者により設定入力される。眼鏡１の動作に必要な情報としては、具体的には、装着者の左右の瞳孔間の距離の情報および装着者の視力の情報などがある。なお、本実施形態においては、無線通信を介して眼鏡１の動作に必要な情報を取得するようにしたが、これに限らず、たとえばＵＳＢ（Universal Serial Bus）ケーブルなどで眼鏡１とパーソナルコンピュータまたは携帯端末とを接続することによって、眼鏡１の動作に必要な情報を取得するようにしてもよい。
【００９５】
次に、本実施形態の眼鏡１の一連の動作について、フローチャートを参照しながら説明する。まず、眼鏡１の初期設定について、図６に示すフローチャートを参照しながら説明する。
【００９６】
まず、眼鏡１の電源ボタン（図示省略）が押下されて眼鏡１の電源がオンされる（Ｓ１０）。次に、装着者が、パーソナルコンピュータまたは携帯端末などを用いて、自分の瞳孔間距離の情報を設定入力する（Ｓ１２）。装着者の瞳孔間距離の情報については、たとえば専用の機器で測定した情報を設定入力してもよいし、自分で定規などを用いて計測した情報を設定入力してもよい。
【００９７】
次いで、装着者は、同様にパーソナルコンピュータまたは携帯端末などを用いて、自分の視力の情報を設定入力する（Ｓ１４）。視力の情報については、たとえば専用の機器で測定した情報を装着者が設定入力すればよい。または、パーソナルコンピュータまたは携帯端末に予め設定されたアプリケーションを用いて計測するようにしてもよい。また、上述した眼鏡１専用のアプリケーションに視力計測機能を設け、その視力計測機能によって視力を計測するようにしてもよい。
【００９８】
次に、上述したようにして設定入力された装着者の瞳孔間距離の情報と視力の情報とが制御部４０によって取得される。制御部４０は、図１に示す操作ボタン４ａの押下に応じて、装着者の瞳孔間距離の情報を用いて、ブリッジ１０３に設けられた移動機構１０３ａを制御し、左右のリム１０２を移動させることによって、右側のレンズ部１０および表示部５の組と、左側のレンズ部１０および表示部５の組との間の距離を自動的に調整する（Ｓ１６）。なお、制御部４０には、瞳孔間距離の情報と移動機構１０３ａによる調整量とを対応付けたテーブルが予め設定されているものとする。
【００９９】
また、制御部４０は、装着者の視力の情報を用いて、表示部設置部５０を制御することによって表示部５を移動させ、これによりレンズ部１０と表示部５の表示面５ａとの間の距離を自動的に調整する（Ｓ１６）。なお、制御部４０には、視力の情報と表示部設置部５０による調整量とを対応付けたテーブルが予め設定されているものとする。
【０１００】
次に、装着者は、自分の視力に合ったレンズ部１０を選択し、そのレンズ部１０をリム１０２に取り付ける（Ｓ１８）。なお、本実施形態においては、リム１０２に対してレンズ部１０を交換可能に構成するようにしたが、レンズ部１０が取り付けられたフロントフレーム単位で交換可能に構成するようにしてもよい。着脱可能とする構成としては、たとえばマグネットを用いて着脱可能としてもよいし、公知な機械的な構成を用いて着脱可能としてもよい。
【０１０１】
次いで、装着者が眼鏡１を装着する（Ｓ２０）。そして、装着状態検出部６０によって眼鏡１が装着されたことが検出され、これにより表示部５における映像表示機能が開始される（Ｓ２２）。
【０１０２】
装着者は、レンズ部１０に投影された映像の虚像を見ながら、その虚像の焦点位置が合っているかどうか確認する。そして、焦点位置が合っていない場合には、調整つまみ（図示省略）などを用いて、２つのレンズ部１０間の距離またはレンズ部１０と表示部５との間の距離を微調整する（Ｓ２４）。
【０１０３】
そして、微調整が終了した後、装着者による操作ボタン４ａの押下に応じて、微調整後の２つのレンズ部１０間の距離の情報と、レンズ部１０と表示部５との間の距離の情報とが、装着者の識別情報に対応づけられて制御基板部４のメモリなどに保存される（Ｓ２６）。なお、装着者の識別情報についても、上述したパーソナルコンピュータまたは携帯端末などを用いて設定入力される。
【０１０４】
上述したように２つのレンズ部１０間の距離の情報およびレンズ部１０と表示部５との間の距離の情報と、装着者の識別情報とを対応付けて記憶しておくことによって、次回使用する際には、瞳孔間距離の情報および視力情報の設定入力を行うことなく、装着者の識別情報の設定入力を行うだけで調整を行うことができる。
【０１０５】
以上が、眼鏡１の初期設定に関する説明である。
【０１０６】
次に、装着者が実際に眼鏡１をかけて使用する場合の作用について、図７に示すフローチャートを参照しながら説明する。
【０１０７】
まず、装着者が眼鏡１を装着する（Ｓ３０）。そして、装着状態検出部６０によって眼鏡１が装着されたことが検出され（Ｓ３２）、これにより表示部５による映像表示機能が開始される（Ｓ３４）。なお、眼鏡１の装着が検出されていない場合でも、たとえば表示機能開始ボタン（図示省略）の押下を検出することによって映像表示機能を開始するようにしてもよい。
【０１０８】
映像表示機能が開始されると、撮像部３による撮影が開始され、撮像部３によって取得された映像信号が撮像制御部４２に出力される（Ｓ３６）。撮像制御部４２は、入力された映像信号の輝度を用いて、必要に応じて撮像部３の電子シャッタースピードまたはフレームレートを変更する（Ｓ３８、Ｓ４０）。
【０１０９】
そして、撮像部３から出力された映像信号は画像処理部４１に出力され、画像処理部４１は、入力された映像信号に対して歪補正およびホワイトバランス調整処理などの画像処理を施して、表示映像信号を生成する（Ｓ４２）。
【０１１０】
画像処理部４１によって生成された表示映像信号は表示制御部４３に出力され、表示制御部４３は、入力された表示映像信号を用いて、表示部５に映像を表示させる（Ｓ４４）。そして、表示部５に表示された映像を形成する光がレンズ部１０の波長選択反射部材１０ｂに投影される。波長選択反射部材１０ｂに入射した光は、波長選択反射部材１０ｂによって反射され、装着者の眼に入射される。これにより装着者は、表示部５に表示された映像の虚像を視認することができる。
【０１１１】
一方、撮像部３から出力された映像信号は表示制御部４３に出力され、表示制御部４３は、その映像信号と撮像部３の電子シャッタースピードまたはフレームレートの情報から周辺環境の明るさの情報を取得する。
【０１１２】
そして、表示制御部４３は、周辺環境の明るさの情報を用いて、必要に応じて表示部５に表示される映像の輝度を変更する（Ｓ４６、Ｓ４８）。
【０１１３】
次いで、上述したように映像表示機能が開始されてから、判定部４４によって装着者の眼が疲れていると判定された場合には、制御部４０が表示部設置部５０を制御し、表示部５の表示面５ａとレンズ部１０との距離を変更することによって、装着者の眼の焦点位置を変更させる（Ｓ５０，Ｓ５２）。
【０１１４】
そして、装着者が眼鏡１を外した場合には、装着状態検出部６０によって眼鏡１が外されたことが検出され（Ｓ５４，ＹＥＳ）、これにより表示部５による映像表示機能が停止される（Ｓ５６）。装着者が眼鏡１を外すまでの間は（Ｓ５４，ＮＯ）、Ｓ３６〜Ｓ５２までの処理が繰り替えして行われる。
【０１１５】
なお、上記実施形態においては、装着状態検出部６０によって眼鏡１が外されたことが検出された場合に、映像表示機能を停止するようにしたが、映像表示機能の停止については、その他の条件を用いて制御するようにしてもよい。
【０１１６】
たとえば、装着者の眼球の動きを用いて、映像表示機能を停止するようにしてもよい。具体的には、図８に示すように、装着者の眼球の動きを検出する動き検出部７０をさらに設け、装着者が予め設定された位置を予め設定された時間以上継続して見ている場合に、映像表示機能を停止するようにしてもよい。
【０１１７】
動き検出部７０としては、たとえばＬＥＤ（Light Emitting Diode）などの発光素子と、ＰＤ（Photo Detector）などの受光素子とを備えた動きセンサを用いることができる。動きセンサは、たとえば黒目の動きに伴う受光素子での受光量の変化を用いて、眼球（主に黒目）の動きを検出する。
【０１１８】
また、たとえば装着者が眼を閉じている時間が予め定められた時間以上継続している場合に、映像表示機能を停止するようにしてもよい。装着者が眼を閉じているか否かは、上述した動きセンサが黒目を検出できるか否かに応じて判断可能である。
【０１１９】
また、装着状態検出部６０が、上述した動きセンサによって検出された眼球の動きを検出することによって、眼鏡１の装着者への装着状態を検出するようにしてもよい。具体的には、装着状態検出部６０は、動きセンサによって眼球の動きが検出されている状態を、眼鏡１が装着者へ装着されている状態として検出し、動きセンサによって眼球の動きが検出されていない状態を、眼鏡１が装着者へ装着されていない状態として検出するようにしてもよい。
【０１２０】
また、上記実施形態においては、表示制御部４３が、撮像部３から出力された映像信号を用いて、装着者の周辺環境の明るさの情報を取得するようにしたが、これに限らず、図９に示すように、撮像部３とは別に明るさ検出部８０を設けるようにしてもよい。そして、表示制御部４３が、明るさ検出部８０によって検出された信号を用いて、装着者の周辺環境の明るさの情報を取得するようにしてもよい。明るさ検出部８０としては、たとえばフォトダイオードなどのＰＤ（Photo Detector）を用いるようにすればよい。
【０１２１】
また、上記実施形態においては、表示制御部４３が、装着者の周辺環境の明るさに応じて表示部５に表示される映像の輝度を調整するようにしたが、周辺環境の明るさが予め設定された上限閾値を超える場合には、レンズ部１０に入射される光を遮光するようにしてもよい。具体的には、たとえば図１０に示すように、レンズ部１０の装着者側とは反対側の面、すなわち保護部材１０ｄの面上にシャッター部１２に設けるようにし、図１１に示す遮光制御部４６によってシャッター部１２を制御するようにしてもよい。シャッター部１２としては、たとえば液晶シャッターを用いることが好ましい。ただし、液晶シャッターに限らず、エレクトロクロミック方式のシャッターまたはガスクロミック方式のシャッターを用いるようにしてもよい。
【０１２２】
なお、シャッター部１２は、眼鏡レンズ１０ａの全範囲に設けてもよいし、眼鏡レンズ１０ａの下端から４分の１〜２分の１の範囲に設けるようにしてもよい。また、シャッター部１２は、眼鏡レンズ１０ａと波長選択反射部材１０ｂとの間に設けるようにしてもよい。
【符号の説明】
【０１２３】
１     眼鏡
２     眼鏡本体
３     撮像部
４     制御基板部
４ａ   操作ボタン
５     表示部
５ａ   表示面
６     電源部
１０   レンズ部
１０ａ 眼鏡レンズ
１０ｂ 波長選択反射部材
１０ｃ 反射部材
１０ｄ 保護部材
１１   フレーム
１２   シャッター部
４０   制御部
４１   画像処理部
４２   撮像制御部
４３   表示制御部
４４   判定部
４５   無線通信部
４６   遮光制御部
５０   表示部設置部
５１   円偏光部材
６０   装着状態検出部
７０   動き検出部
８０   明るさ検出部
１０１ テンプル
１０２ リム
１０３ ブリッジ
１０３ａ       移動機構
１０４ 鼻パッド
５００ 表示部
５０１ 表示部
６００ 眼鏡レンズ
６００ａ       反射面
６００ｂ       反射面
６０１ 光学部材
６０１ａ       反射面
６０１ｂ       反射面
Ｉ     眼
Ｌ     光
【図１】
0006461425.tif 000002
【図２】
0006461425.tif 000003
【図３】
0006461425.tif 000004
【図４】
0006461425.tif 000005
【図５】
0006461425.tif 000006
【図６】
0006461425.tif 000007
【図７】
0006461425.tif 000008
【図８】
0006461425.tif 000009
【図９】
0006461425.tif 000010
【図１０】
0006461425.tif 000011
【図１１】
0006461425.tif 000012